(57)【要約】      （修正有）【課題】ＤＶＤやＣＤ等を収容し、レンタル用カバーケースの上端開口から突出して陳列する厚さの薄い貸出しケースを提供する。【解決手段】貸出しケース１は本体ケースと蓋ケースから成って開閉可能に継手を介して連結され、貸出しケース１の先端縁には係止ツメを設け、該係止ツメに係止して貸出しケースを開くことが出来ないようにロックするロックプレート６を取付け、該ロックプレートは貸出しケースを挟み込むことが出来る表板７、背板８、側板９、及び上記係止ツメに係止するツメを揺動可能に軸支している上板部１０を有している。【選択図】図２
2009057079.tif 000002
【特許請求の範囲】
【請求項１】
ＤＶＤやＣＤ等を収容し、レンタル用カバーケースの上端開口から突出して陳列する貸出しケースにおいて、該貸出しケースは本体ケースと蓋ケースから成って開閉可能に継手を介して連結され、貸出しケースの先端縁には係止ツメを設け、該係止ツメに係止して貸出しケースを開くことが出来ないようにロックするロックプレートを取付け、該ロックプレートは貸出しケースを挟み込むことが出来る表板、背板、側板、及び上記係止ツメに係止するツメを揺動可能に軸支している上板部を有していることを特徴とするＤＶＤ等の貸出しケース。
【請求項２】
上記ロックプレートの上板部に嵌合穴を設け、該嵌合穴には貸出しケースの係止ツメに係止するツメを軸支した樹脂製のツメ受けを嵌めて取付けた請求項１記載のＤＶＤ等の貸出しケース。
【請求項３】
貸出しケースの先端に係止ツメを形成した係止部材を取付けた請求項１、又は請求項２記載のＤＶＤ等の貸出しケース。
【発明の詳細な説明】
【技術分野】
【０００１】
本発明はＤＶＤやＣＤ等のロック機能を備えた貸出しケースに関するものである。
【背景技術】
【０００２】
レンタルショップにおいて、ＤＶＤやＣＤをケースのまま店内の陳列棚に直接配列している場合には盗難に遭うケースが多い。そこで、ＤＶＤの貸出しケースには盗難防止用のタグシールが貼着されていて、店の出入り口にある盗難防止ゲートをそのまま通過することで警報が鳴るようなシステムを採用している。しかし、このタグシールを剥してしまうならば、そのまま持ち出しても盗難防止ゲートが感知して警報を発することはない。
【０００３】
そこで、ＤＶＤを入れた貸出しケースを勝手に開くことが出来ないようにロックした状態で陳列棚に陳列している。客はレンタル用カバーケースから貸出しケースを抜き取って店のカウンターへ運んで借りることが出来る。この際、店員は所定の手続きをとった上でＤＶＤ等を収容した貸出しケースを客に手渡すことになるが、この貸出しケースからＤＶＤが取出せるように解錠しなくてはならない。
【０００４】
このように、貸出しケースはロックされてレンタル用カバーケースに収容され、この状態で陳列棚に陳列されるが、しかし、盗難を完全に防止することは不可能である。出願人は平成１２年１１月１０日付けで「盗難防止機能を備えたＤＶＤ等の貸出しケース」に関して特許出願を行い、平成１５年８月１５日付けで登録されている（特許第３４５９９９７号）。
【０００５】
この「盗難防止機能を備えたＤＶＤ等の貸出しケース」とは、本体ケースと蓋から成り、ケースの側面開口からロック板をロック板嵌入空間にスライドして嵌入することで蓋が開かない構造とし、その為にロック板の両挟持片を蓋と本体ケースに形成したガイド溝に嵌め、又ロック板の側縁にはケースから突出するツメを設け、基部を中心として撓み変形する板バネには本体ケースの係止部に係止するロックツメを設けている。
【０００６】
このようなロック構造であっても、高価なＤＶＤが入っている貸出しケースが開けられて、盗難に遭うこともある。すなわち、盗難を完全に防止することは不可能である。そして、貸出す際にはロック板を外さなくてはならず、この作業も面倒である。盗難を完全に無くすためには、貸出しケースをレンタル用カバーケースに入れて陳列棚に陳列することなく、カウンター後方のバック棚に配置する方が好ましい。しかし、レンタル用カバーケースの他にバック棚をカウンター後方に設けることはスペース上の問題があり、又客が借りたいＤＶＤを即座に探すことが出来ないといった問題がある。
【０００７】
ロック機能を備えたＤＶＤ等の貸出しケースは上記の他にもあり、特開２００２−４６７８９号に係る「収納ケース」は、ＤＶＤやＣＤなどを収納し、且つ防犯タグを保持した状態で施蓋状態をロックしておくことができる収納ケースである。又、特開２００２−２４９１９０号に係る「ディスク用セキュリティケース」は、記録済みのディスクを収納した状態で展示される開閉自在な保護ケースであって、該ディスクを販売又はレンタル等のために店舗において展示するに際して、開蓋不能に施錠できるようにしたセキュリティケースである。
【特許文献１】特許第３４５９９９７号に係る「盗難防止機能を備えたＤＶＤ等の貸出しケース」
【特許文献２】特開２００２−４６７８９号に係る「収納ケース」
【特許文献３】特開２００２−２４９１９０号に係る「ディスク用セキュリティケース」
【発明の開示】
【発明が解決しようとする課題】
【０００８】
このように、従来の貸出しケースには上記のごとき問題がある。本発明が解決しようとする課題はこの問題点であり、バック棚に配置することも考慮したロック機能付きの貸出しケースを提供する。
【課題を解決するための手段】
【０００９】
本発明に係る貸出しケースはバック棚に配置され、陳列棚に陳列される従来の貸出しケースに比較して薄く、約１／２としている。これはバック棚の限られた収容空間を考慮した上でのことである。しかし、該貸出しケースは従来と同じようにレンタル用カバーケースに収容して陳列棚に陳列することもあり、この場合には盗難に遭わないようにロックされる。
【００１０】
しかし、このロック機能は従来とは異なり、厚さが薄い貸出しケース内にロック板（ロックプレート）を挿入することが出来ず、貸出しケースを抱き込むように外側に取付けられる。すなわち、ロックプレートは正板、背板、側板、及び上板部を有し、貸出しケースは正板と背板との間に嵌合してロックされる。従って、ロックプレートは貸出しケースより厚く成っている。
【００１１】
ところで、ロックプレートを貸出しケースに嵌めることで、外れないように係止するが、ロックプレートに取付けているツメが貸出しケースに形成している係止ツメに係止することが出来る。ツメはスチール又は磁石によって引き寄せられる磁性体で構成され、該磁石を近づけるならばツメは貸出しケースの係止ツメから外れてロックプレートが外される。ここで、ロックプレートのツメ、及び貸出しケースの係止ツメの具体的な構造は問わない。
【発明の効果】
【００１２】
本発明に係る貸出しケースは従来の貸出しケースに比較して薄く、その為にバック棚に配置しても大きなスペースを必要とせず、数多くの枚数が収納出来る。従来の約１／２の厚さと成っていることで、同一大きなバック棚には２倍の枚数が配置出来る。そして、該貸出しケースはレンタル用カバーケースに収容して陳列棚に陳列可能であるが、この場合には、盗難を防止する為にロックプレートが取付けられる。該ロックプレートは正面板と背板との空間に貸出しケースが嵌ってロックされるが、該ロックプレートの厚さは従来の貸出しケースの厚さとほぼ同じ寸法としている為に、該レンタル用カバーケースが用いられる。
【実施例】
【００１３】
図１は貸出しケース１を開いた状態を表している。同図の２は本体ケース、３は蓋ケース、４はＤＶＤを夫々示し、本体ケース２と蓋ケース３は継手２８を介して連結されている。従って、同図に示すように蓋ケース３を開くことが出来、又閉じて本体ケース２と重ねることが出来る。本体ケース２の中央にはヘソ５が突出して設けられ、このヘソ５にＤＶＤの穴が嵌って取付けられる。
【００１４】
図１は開いた状態の本体ケース２及び蓋ケース３の内側を表しているが、閉じてロックプレートが嵌ることで開かないようにロックされる。図２は閉じた状態の貸出しケース１とロックプレート６を表しているが、該ロックプレート６は表板７、背板８、側板９、及び上板部１０を有している。このロックプレート６は貸出しケース１に嵌るならば、表板７と背板８とで挟持するように取付けられ、貸出しケース１は開かないようにロックされる。
【００１５】
本体ケース２と蓋ケース３の外表面にはガイド溝１１ａ，１１ｂが形成され、ロックプレート６の表板７と背板８の内側に設けられたガイド片が嵌入することが出来る。そして、該ロックプレート６が抜けないように上板部１０に取付けたツメが蓋ケース３の先端縁に形成した係止ツメに係止する。該ロックプレート６を取外す場合には、磁石が使用される。磁石を使用することは従来と同じである。
【００１６】
図３は貸出しケース１にロックプレート６を取付けた場合であり、この状態では貸出しケース１の蓋ケース３は開くことは出来ない。そして、図４は解除具１２にてロックプレート６を外す場合であり、解除具１２は磁石を有し、この磁石の磁気力にロックプレート６のツメが引かれて蓋ケース３に形成している係止ツメから外れる。そして、外れた状態で該ロックプレート６を引き抜くことが出来る。ロックプレート６の上板部１０には凹溝１３が形成され、この凹溝１３に解除具１２に設けた凸部が嵌り、解除具１２をスライドさせることで、ロックプレート６が引かれて外れる。
【００１７】
ところで、本発明では上記ロックプレート６に取付けられるロックツメの具体的な形態、及びロック機構の具体的構造は限定しないことにする。図５はロックプレート６の具体例であり、該ロックプレート６はロックツメ機構部１４が別部材として取付けた構造としている。ロックツメ機構部１４は樹脂から成るツメ受け１５に３枚のツメ１６ａ，１６ｂ，１６ｃが取付けられ、ツメ１６ａは軸１７ａに揺動可能に軸支され、ツメ１６ｂは軸１７ｂに、さらにツメ１６ｃは軸１７ｃに夫々軸支されて揺動することが出来る。
【００１８】
そして、両側のツメ１６ａ，１６ｃは外側に形成した溝にツメ受けに形成した樹脂製バネが嵌入している。従って、両ツメ１６ａ，１６ｃは該樹脂製バネによってほぼ一定の向きに保たれている。ところで、ツメ１６ａ，１６ｂ，１６ｃを備えた上記ツメ受け１５はロックプレート６の上板部１０に形成した嵌合穴１８に嵌って取付けられる。一方、ツメ受け１５には下方へ延びるガイドツメ２９が設けられ、このガイドツメ２９は蓋ケース３の上縁に形成したガイド溝３０に係合することが出来る。すなわち、ツメ受け１５はロックプレート６の嵌合穴１８に嵌って取付けられるが、貸出しケース１にロックプレート６を取付けた状態では該ツメ受け１５が離脱することはない。
【００１９】
図６はロックプレート６及びツメ受け１５の背面側を表しているが、ツメ受け１５の両側には係止片１９，１９が、そして背面にも係止片２０，２０が形成され、ツメ受け１５は上記嵌合穴１８に嵌ると共に、ロックプレート６の嵌合穴１８内面に設けている係止穴２１，２１・・に係止して取付けられる。
【００２０】
図７は蓋ケース３の先端部内側を表している。蓋ケース３の先端部内側にはロックプレート６のツメ１６ａ，１６ｃが係止する係止部材２２が取付けられる。取付けられた状態は前記図１に示している。この係止部材２２は金属製の硬いツメ１６ａ，１６ｃ係止しても損傷しないように硬質樹脂が用いられている。係止部材２２の両側には長穴２３，２３を有し、又一方の長穴２３の近くには丸穴２４を形成し、蓋ケース３に設けている係止片２５，２５と凸片２６が嵌って取付けられる。そして係止部材２２の上縁にはツメ１６ａ，１６ｃが係止する係止ツメ２７ａ，２７ｂが形成されている。
【００２１】
図８はロックプレート６を取付けて、ツメが係止ツメに係止した場合を表している。両側のツメ１６ａ，１６ｃが係止ツメ２７ａ，２７ｃに係止することでロックプレート６はロックされて外れることはない。従って、前記図３の状態が保たれて貸出しケース１は開かない。勿論、ロックプレート６の表板７と背板８の内面にはガイド片が形成され、このガイド片は貸出しケース１の本体ケース２と蓋ケース３に形成したガイド溝１１ａ，１１ｂに嵌っている。さらに、ツメ受け１５のガイドツメ２９は蓋ケース３に取付けた係止部材２２のガイド溝３０に係合している。
【００２２】
図９は解除具をロックプレート６の上に載置してツメ１６ａ，１６ｃが係止ツメ２７ａ，２７ｃから外れた場合である。この状態でロックプレート６を抜き取ることが出来る。前記図４に示すように解除具１２をロックプレート６の上に載置すれば、揺動可能に軸支しているツメ１６ａ，１６ｃは磁気力に引かれて揺動し、該ツメ１６ａ，１６ｃは係止ツメ２７ａ，２７ｃから外れる。実施例のロックプレート６は３枚のツメ１６ａ，１６ｂ，１６ｃを備えた構造としているが、１枚又は２枚のツメ１６とする場合もある。
【００２３】
ところで、本発明の貸出しケース１はロックプレート６を取付けることが出来るが、該ロックプレート６を取付けないでカウンター後方に設けたバック棚に配置することもある。すなわち、バック棚にＤＶＤを収容した貸出しケース１を配置するならば、盗難に遭うことはなく、しかもロックプレート６の取外し作業も不要となる。
【００２４】
貸出しケース１をバック棚に配置する場合、店内の陳列棚にはレンタル用カバーケースが陳列されている。そこで、陳列棚からレンタル用カバーケースを持ち出してカウンターへ運び、レンタル用カバーケースに相当する貸出しケース１をバック棚から探し出して貸すことが出来る。これは、昔の貸出し方法であるが、新作の場合に、この方法では多数のレンタル用カバーケースを陳列しなくてはならない。
【００２５】
そこで、レンタル用カバーケースに複数枚の樹脂製レンタルカードを収容し、客はこのレンタルカード抜き取ってカウンターへ運ぶことが出来る。レンタル用カバーケースは陳列棚にそのまま残される。レンタルカードには色彩、符合、番号などの標示が付され、貸出しケース１にも色彩、符合、番号などの同じ標示が付されている。勿論、バック棚にも標示が付され、客がカウンターへ持って来たレンタルカードを見て、貸出しケース１を即座に探すことが出来る。
【図面の簡単な説明】
【００２６】
【図１】蓋ケースを開いた状態の貸出しケース。
【図２】閉じて貸出しケースとロックプレート。
【図３】貸出しケースにロックプレートを取付けたロック状態。
【図４】ロックプレートを外す為に解除具を載せた場合。
【図５】ロックプレートに取付けられるツメ受け。
【図６】ロックプレートとツメ受けの背面側。
【図７】蓋ケース上端部内側に取付けられる係止部材。
【図８】ロックプレートのツメが係止ツメに係止したロック状態。
【図９】ロックプレートのツメが磁石によって係止ツメから外れた場合。
【符号の説明】
【００２７】
１  貸出しケース
２  本体ケース
３  蓋ケース
４  ＤＶＤ
５  ヘソ
６  ロックプレート
７  表板
８  背板
９  側板
10  上板部
11  ガイド溝
12  解除具
13  凹溝
14  ロックツメ機構部
15  ツメ受け
16  ツメ
17  軸
18  嵌合穴
19  係止片
20  係止片
21  係止穴
22  係止部材
23  長穴
24  丸穴
25  係止片
26  凸片
27  係止ツメ
28  継手
29  ガイドツメ
30  ガイド溝
【図１】
2009057079.tif 000003
【図２】
2009057079.tif 000004
【図３】
2009057079.tif 000005
【図４】
2009057079.tif 000006
【図５】
2009057079.tif 000007
【図６】
2009057079.tif 000008
【図７】
2009057079.tif 000009
【図８】
2009057079.tif 000010
【図９】
2009057079.tif 000011